(57)【特許請求の範囲】
【請求項１】
絶縁被覆電線の絶縁被覆を部分的に剥離することにより露出した導体部分を覆った状態で該絶縁被覆電線に対して固定される架空配電線用絶縁カバーであって、
開閉支持部によって開閉自在に連結され、且つ開放時には開放状態を維持することができる２つの開閉部材と、各開閉部材に夫々少なくとも一対ずつ設けられ、各開閉部材が閉止状態にある時に互いに結合することにより該各開閉部材を閉止状態に維持する結合片と、
一つの前記開閉部材側の少なくとも一つの前記結合片に設けられて、前記結合片を挟圧して結合させる開閉自在な一対の口金を有した結合工具の一方の前記口金を受け容れて弾性力により仮固定する仮固定部と、を備えたことを特徴とする架空配電線用絶縁カバー。
【請求項２】
絶縁被覆電線の絶縁被覆を部分的に剥離することにより露出した導体部分を覆った状態で該絶縁被覆電線に対して固定され、開閉支持部によって開閉自在に連結された２つの開閉部材と、各開閉部材に夫々少なくとも一対ずつ設けられ、各開閉部材が閉止状態にある時に互いに結合することにより該各開閉部材を閉止状態に維持する結合片と、を有した架空配電線用絶縁カバーの前記結合片に対して着脱されるアダプターであって、
一つの前記結合片に対して装着される基部と、該基部から湾曲して突出する係合片と、を備えたことを特徴とするアダプター。
【発明の詳細な説明】
【技術分野】
【０００１】
本発明は架空配電線に装着する際の作業性を高めた架空配電線用絶縁カバー、及びアダプターに関する。
【背景技術】
【０００２】
高圧又は特別高圧の開路した電路で作業を行う場合、誤通電、混触などを防止するために短絡接地器具を用いることが法規上定められている。短絡接地器具は、架空配電線の絶縁被覆を所定長に渡って除去した導体露出部分に接続されるが、作業終了後には取り外される。架空配電線の導体露出部分には架空配電線用絶縁カバーが装着されて導体露出部分の絶縁被覆状態が復旧される。
図７は従来の架空配電線用絶縁カバー（以下、絶縁カバー、という）の外観構成を示す斜視図である。
絶縁カバー２００は、絶縁材料から構成されており、架空配電線の導体露出部分にかぶさった状態で互いに閉じたときに導体露出部分の両端部に位置する絶縁被覆部分に挟圧固定される２つの開閉部材２０２、２１０と、開閉部材２０２、２１０の各一端縁を開閉自在に連結するヒンジ部２２０とから概略構成されている。
【０００３】
第１開閉部材２０２は、凹状の内部に導体露出部分を受け容れる本体２０３と、本体２０３の他端縁から突設された２つの舌状の結合片２０４、２０５、及び舌状の操作片２０６と、を有する。
２つの結合片は、本体２０３の他端縁の長手方向両端部に配置されている。各結合片２０４、２０５には取付け穴２０４ａ、２０５ａが貫通形成されている。操作片２０６は２つの結合片２０４、２０５の間の適所、結合片２０４側に偏った位置に配置されている。
第２開閉部材２１０は、凹状の内部に導体露出部分を受け容れる本体２１１と、本体２１１の他端縁から突設された２つの結合片２１４、２１５、及び操作片２１６と、を有する。２つの結合片２１４、２１５は、本体２１１の他端縁の長手方向両端部に配置されている。操作片２１６は結合片２１４、２１５の間の適所、結合片２１５側に偏った位置に配置されている。
各結合片２１４、２１５の一面には係止突起２１４ａ、２１５ａが突設されており、架空配電線を各本体２０３、２１１の凹所により挟んだ状態でヒンジ部２２０を中心として両開閉部材２０２、２１０を閉じた時に各係止突起２１４ａ、２１５ａが各結合片２１４、２１５の取付け穴２０４ａ、２０５ａ内に圧入して両開閉部材を開放不能に保持する。
【０００４】
次に、図８（ａ）（ｂ）及び（ｃ）は活線用の先端工具を取り付けた操作棒と絶縁ヤットコを用いて上記絶縁カバーを架空配線線に取り付ける手順を示している。
図８（ａ）（ｂ）（ｃ）では先端工具としてのカバー押え具２３０によって絶縁カバー２００を架空配電線２５０に仮係止する手順を示している。
操作棒（ホットスティック）２２５の先端に取り付けられたカバー押え具２３０は先端に絶縁カバー２００の外面に対応した形状を有したフック部２３１を有すると共に、その下方には絶縁カバーの２つの操作片２０６、２１６のうちの一方を挟持する挟持部２３３が設けられている。
２つの開閉部材２０２、２１０が開放状態にある絶縁カバー２００を、高圧配電線の導体露出部分に被せる際には、本例では挟持部２３３によって操作片２１６を挟持することによって開放部を下向きにした状態で絶縁カバー２００全体を図８（ａ）に示したように高圧配電線２５０よりも上方に一旦差し上げる。絶縁カバー２００の開放部を高圧配電線の導体露出部分の上方に位置させた状態で絶縁カバーを下降させて絶縁カバーの内面（開閉部材２０２、２１０間）に高圧配電線（導体露出部分）を接触させてから更にカバー押え具２３０を下降させると挟持部２３３から操作片２１６が離脱し、図８（ｂ）（ｃ）の状態となる。（ｂ）の状態ではカバー押え具２３０のフック部２３１によって絶縁カバー２００を押さえ込むことにより高圧配電線に仮係止した状態となっている。
【０００５】
次に、図８（ｃ）のように絶縁ヤットコ２４０を用いた各結合片同志の圧着作業が実施される。即ち、本例では一人の作業員がカバー押え具２３０によって絶縁カバー２００を高圧配電線２５０に押さえつつ、他方の作業員が絶縁ヤットコ２４０を用いて左側の結合片２０４、２１４を挟み込んで圧着する。次いで、カバー押え具２３０を絶縁カバーから取外し、右側の結合片２０５、２１５を圧着する。
【０００６】
このように上記の作業は通常二人によって実施される。
この際、一方の結合片対を圧着してから他方の結合片対を圧着する際に工具の持ち替えが発生し、作業が繁雑となる。
図９（ａ）は、絶縁被覆電線２５０の絶縁被覆２５１を部分的に剥離することにより導体部分２５２を露出させた状態を示し、（ｂ）は導体部分を覆った状態で配電線用絶縁カバー２００を絶縁被覆電線に対して固定した状態を示している。
【０００７】
上記作業を一人で実施する場合には、図８（ｂ）のようにカバー押え具２３０を絶縁カバーに引っ掛けて自重により吊り下げたままで絶縁ヤットコによる作業を行う。この場合には、カバー押え及び操作棒２２５が配電線からぶら下がった状態となるので、風などによって電線が揺れるとカバー押え具及び操作棒が落下する危険がある。また、一人での作業でも、一方の結合片対を圧着してから他方の結合片対を圧着する際に工具の持ち替えが発生し、作業が繁雑となる。
【０００８】
このため、上述のように上記作業は通常は二人で実施される。
特許文献１に係る架空配電線用絶縁カバーでは、間接活線工具のヤットコ状に開閉する一対の把持片の内面は、絶縁カバーを開いた状態で保持する構造を備えている。把持片の内面に絶縁カバーを保持し、この状態で電線に被せ、把持片を閉じることにより電線への取付けが完了する。
この従来例では、絶縁カバーの軸方向長がある程度長尺な場合には二本の間接活線工具により絶縁カバーの両端部付近を保持する必要がある。つまり、一本の間接活線工具により、しかも1人の作業により絶縁カバーを取り付けることはできない。
特許文献２に係る電線絶縁カバーでは、相色別部材をカバー外面に取り付ける際には間接活線工具用バンドをヤットコの一方の口金に引っ掛けておき、カバーは他方の口金側に配置し、この状態で両口金を閉じることによりカバー外面に間接活線工具バンドを圧着するものである。
【０００９】
しかし、この間接活線工具バンドを絶縁カバーに適用した場合、このバンドは単に線材を曲げたものに過ぎず、ここにヤットコの口金の一方を差し込むことによって保持してから絶縁カバーを確実に電線外面に取り付けることは難しい。特に、このバンドは相色別部材の開放部の反対側に設けられており、絶縁カバーのこの部位にこのようなバンドを取り付けたとしても、絶縁カバーを電線に被せてから、そのまま工具を持ち替えること無く閉じることにより固定する作業は簡単にはできない。しかも、相色別部材に関する発明であり、絶縁カバー自体の取付けに使用するものではない。
【先行技術文献】
【特許文献】
【００１０】
【特許文献１】特開平１１−２９９０６６号公報
【特許文献２】特開２０１１−１９３６４０公報
【発明の概要】
【発明が解決しようとする課題】
【００１１】
本発明は上記に鑑みてなされたものであり、一本の絶縁ヤットコを用いた一人の作業員による作業によって架空配電線に対して絶縁カバーを取り付けることを可能にして、架空配電線に対する装着操作性を高めた架空配電線用絶縁カバー、及びアダプターを提供するものである。
【課題を解決するための手段】
【００１２】
上記目的を達成するため、請求項１の発明に係る架空配電線用絶縁カバーは、絶縁被覆電線の絶縁被覆を部分的に剥離することにより露出した導体部分を覆った状態で該絶縁被覆電線に対して固定される架空配電線用絶縁カバーであって、開閉支持部によって開閉自在に連結され、且つ開放時には開放状態を維持することができる２つの開閉部材と、各開閉部材に夫々少なくとも一対ずつ設けられ、各開閉部材が閉止状態にある時に互いに結合することにより該各開閉部材を閉止状態に維持する結合片と、一つの前記開閉部材側の少なくとも一つの前記結合片に設けられて、前記結合片を挟圧して結合させる開閉自在な一対の口金を有した結合工具の一方の前記口金を受け容れて弾性力により仮固定する仮固定部と、を備えたことを特徴とする。
また、請求項２に係るアダプターは、絶縁被覆電線の絶縁被覆を部分的に剥離することにより露出した導体部分を覆った状態で該絶縁被覆電線に対して固定され、開閉支持部によって開閉自在に連結された２つの開閉部材と、各開閉部材に夫々少なくとも一対ずつ設けられ、各開閉部材が閉止状態にある時に互いに結合することにより該各開閉部材を閉止状態に維持する結合片と、を有した架空配電線用絶縁カバーの前記結合片に対して着脱されるアダプターであって、一つの前記結合片に対して装着される基部と、該基部から湾曲して突出する係合片と、を備えたことを特徴とする。
【発明の効果】
【００１３】
本発明によれば、一本の絶縁ヤットコ（操作棒）を用いた一人の作業員による作業によって架空配電線に対して絶縁カバーを取り付けることができる。
【図面の簡単な説明】
【００１４】
【図１】本発明の一実施形態に係る架空配電線用絶縁カバーの外観斜視図である。
【図２】（ａ）（ｂ）及び（ｃ）はこの架空配電線用絶縁カバーの構成を示す正面図、左側面図、及び底面図である。
【図３】（ａ）（ｂ）及び（ｃ）は従来の架空配電線用絶縁カバーの構成を示す正面図、左側面図、及び底面図である。
【図４】（ａ）（ｂ）及び（ｃ）は絶縁ヤットコに対して絶縁カバーを取り付ける手順、絶縁ヤットコにより保持した絶縁カバーを架空配電線に取り付ける手順を示す図である。
【図５】（ａ）（ｂ）及び（ｃ）は架空配電線用絶縁カバーに対して後付けするタイプのアダプターの構成を示す外観斜視図、正面図、及び左側面図である。
【図６】（ａ）（ｂ）及び（ｃ）は絶縁ヤットコを用いてアダプターを利用して架空配電線に対して絶縁カバーを取り付ける手順を説明する図である。
【図７】従来の架空配電線用絶縁カバーの外観構成を示す斜視図である。
【図８】（ａ）（ｂ）及び（ｃ）は活線用の先端工具を取り付けた操作棒と絶縁ヤットコを用いて絶縁カバーを架空配線線に取り付ける手順を示した図である。
【図９】（ａ）は絶縁被覆電線の導体部分を露出させた状態を示した図であり、（ｂ）は配電線用絶縁カバーを絶縁被覆電線に対して固定した状態を示した図である。
【発明を実施するための形態】
【００１５】
＜第１の実施形態＞
以下、本発明を図面に示した実施の形態により詳細に説明する。
図１は本発明の一実施形態に係る架空配電線用絶縁カバーの外観斜視図であり、図２（ａ）（ｂ）及び（ｃ）はこの架空配電線用絶縁カバーの構成を示す正面図、左側面図、及び底面図である。図３（ａ）（ｂ）及び（ｃ）は従来の架空配電線用絶縁カバーの構成を示す正面図、左側面図、及び底面図である。また、図４（ａ）（ｂ）及び（ｃ）は絶縁ヤットコに対して絶縁カバーを取り付ける手順、絶縁ヤットコにより保持した絶縁カバーを架空配電線に取り付ける手順を示す図である。
【００１６】
架空配電線用絶縁カバー（以下、絶縁カバー、という）１は、図９に示した絶縁被覆電線２５０の絶縁被覆２５１を部分的に剥離することにより露出した導体部分２５２を覆った状態で該絶縁被覆電線に対して固定されるものである。絶縁カバー１は、絶縁性を有した樹脂材料から構成されている。
絶縁カバー１は、ヒンジ部（開閉支持部）３５によって開閉自在に連結された略半円筒形の２つの開閉部材１０、２０と、各開閉部材１０、２０に夫々少なくとも一対ずつ設けられ、各開閉部材が閉止状態にある時に互いに結合することにより該各開閉部材を閉止状態に維持する結合片１１、１３、結合片２１、２３と、少なくとも一つの結合片（本例では結合片２１の外側）に設けられて、２つの結合片を挟圧して結合させる結合工具（絶縁ヤットコ）の一部を受け容れて仮固定する仮固定部４０と、を備えている。
【００１７】
ヒンジ部（開閉支持部）３５は、２つの開閉部材１０、２０の連結部に位置しており、この連結部を薄肉に加工する等の手法により両開閉部材を開閉自在に連結している。
各開閉部材１０、２０は夫々円筒体を縦割りにした半円筒状の形状を有しており、各開閉部材の凹所の内面に沿って架空配電線２５０（図９）を受け容れた状態で閉止し、且つ結合片１１と結合片２１、結合片１３と結合片２３とを夫々圧着結合させることにより、架空配電線の導体部分２５２を覆った状態で、導体部分の両側に位置する絶縁被覆２５１に対して固定された状態となる。開閉部材１０、２０は大径の本体１０Ａ、２０Ａと、各本体１０Ａ、２０Ａから軸方向へ突出した小径の突出片１０Ｂ、２０Ｂと、を備えており、架空配電線を間に挟んだ状態で開閉部材１０、２０が閉止した時に各突出片１０Ｂ、２０Ｂ同志が架空配電線の絶縁被覆２５１を挟圧して固定状態となる。
各結合片１１、１３、２１、２３は、各開閉部材１０、２０の開放側端縁（ヒンジ部３５とは反対側）から外径方向へ突出している。結合片１１と２１と、結合片２１と２３とは、夫々互いに結合し合うように同じ位置関係で配置されている。また、各結合片は、各開閉部材の開放側端縁の長手方向両端部に突設されている。
【００１８】
第１開閉部材１０側に設けられた結合片１１と１３には夫々係止穴（長穴）１１ａ、１３ａが形成されており、第２開閉部材２０側の各結合片２１、２３の内側面には各係止穴１１ａ、１３ａ内に圧入する鍔付きの係止突起２１ａ、２３ａが突設されている。第１開閉部材１０に対して第２開閉部材２０を閉じ、且つ絶縁ヤットコにより結合片１１と結合片２１、結合片１３と結合片２３を夫々圧着させた時に、各係止突起２１ａ、２３ａが各係止穴１１ａ、１３ａ内に圧入し、各係止突起の顎部が抜け落ちを阻止する。
なお、各開閉部材の開放側端縁上には、互いの位置関係をずらした状態で舌状の操作片１５、２５が突設されている。操作片１５は、第１開閉部材１０の開放側端縁の長手方向両端部に突設されている結合片１１、１３の間に位置しており、操作片２５は第２開閉部材２０の開放側端縁上の結合片２１、２３の間に位置している。
【００１９】
絶縁カバーの細部の形状は製品によって異なることがあるが、本実施形態では一つの結合片に仮固定部４０を付加した構造が最も特徴的である。例えば、上記構成例では、第１開閉部材１０側に係止穴１１ａ、１３ａを備えた結合片１１、１３を配置し、第２開閉部材２０側に係止突起２１ａ、２３ａを備えた結合片２１、２３を配置したが、第１開閉部材１０側に係止穴を備えた結合片と係止突起を備えた結合片を一個ずつ配置し、第２開閉部材２０側に係止突起を備えた結合片と係止穴を備えた結合片を一個ずつ配置してもよい。
【００２０】
本実施形態では仮固定部４０は、絶縁カバーを射出成形により製造する際に一括して製造されるが、後述するように既製品の絶縁カバーの結合片に仮固定部（アダプター）を後付けできる構成としてもよい。
仮固定部４０は、図４（ａ）に示した絶縁ヤットコ８０の一方の口金を仮固定部内に差し込むことにより、絶縁カバーを２つの口金の間に保持するために利用される。つまり、仮固定部４０は絶縁ヤットコの一方の口金の先端を差し込んで保持されることができる空間Ｓを形成する手段である。従って、仮固定部の形状は図示のものに限定される訳ではない。
上記実施形態では仮固定部４０を係止突起を備えた結合片２１に設けたが、係止穴を備えた結合片の外面に仮固定部を設けても良い。また、仮固定部は複数の結合片に設けても良い。
【００２１】
図４（ａ）に示すように、絶縁ヤットコ（結合工具）８０は、主操作棒８１と、主操作棒の先端に固定された固定側口金８３と、主操作棒の先端により開閉自在に軸支された可動側口金８５と、先端で可動側口金８５を軸支し、基端部を主操作棒８１に設けた軸部８１ａにより軸支された副操作棒８７と、軸部８１ａにより回動自在に軸支されて回動させた時に副操作棒８７を軸方向へ進退させて可動側口金８５を開閉させるレバー８８と、を概略備えている。その他の細部の構成は周知であるため、説明を省略する。
固定側口金８３の先端部の外側面には、通常、他の工具（例えば、図示しない鳥蛇アダプタ等）を支持する時に利用する凹所８３ａが形成されており、本実施形態では仮固定部４０の内壁には凹所８３ａ内に嵌合して仮係止するための突起４２が突設されている。固定側口金の幅は、絶縁カバーの全長に比して大幅に短いが、仮固定部４０の空間Ｓ内に固定側口金の先端部を差し込むことにより、仮固定部の弾性力を利用して十分な強度で絶縁カバーを保持し、固定側口金に対する絶縁カバーの姿勢を所定（例えば、直交する姿勢）に保持することができる。
なお、本実施形態では絶縁ヤットコの固定側口金８３の先端部に仮固定部４０を仮固定する例を説明するが、可動側口金８５に仮固定部を仮固定するようにしてもよい。
【００２２】
以上の構成を備えた絶縁カバー１を、絶縁ヤットコ８０を用いて架空配電線に固定する手順について、図４に基づいて説明する。
図４（ａ）ではレバー８８を操作して可動側口金８５を充分な開放量に開放させた状態で、開放部を上向きにした絶縁カバーの仮固定部４０の空所Ｓ内に固定側口金８３の先端部を差し込む。空所Ｓの寸法、形状は、予め口金先端部を弾性的に保持するのに適するように構成されており、容易に脱落しないように口金先端部を仮固定部に仮固定することができる。また、（ｂ）に示すように開閉部材１０、２０の外周面が２つの口金の内面によって支持されるので、固定側口金８３の先端部によって安定して絶縁カバー全体を保持することができる。特に、仮固定部４０の内壁に設けた突起４２が固定側口金に設けた凹所８３ａ内に嵌合するので、絶縁カバーを保持する安定性を更に高めることができる。
【００２３】
図４（ｂ）のように、一方の口金の先端部を仮固定部の空所内に圧入して充分な保持力で絶縁カバーを保持する一方で、両口金８３、８５の内側面で絶縁カバーの外面を保持した状態で、作業車などに乗った作業員が架空配電線２５０の絶縁被覆を除去した導体部分に対して下側から絶縁ヤットコの先端に保持した絶縁カバーを接近させて絶縁カバーの２つの開閉部材の内側に架空配電線２５０を入れ込む。
絶縁カバーの２つの開閉部材の内側に架空配電線２５０を入れ込んだ状態で、レバー８８を操作して可動側口金８５を閉じると、可動側口金８５の先端部の内側面で結合片１１の外側面を押圧するため、固定側口金８３の先端部内側面との間で両結合片１１、２１を挟圧して係止突起２１ａを係止穴１１ａ内に圧入して結合状態とすることができる（図４（ｃ））。
両結合片１１、２１を結合状態とした時点で、絶縁カバー１は架空配電線２５０の導体部分を覆った状態で、導体部分の一方に位置する絶縁被覆部分に対して係止されているため、絶縁ヤットコの口金を開放させて両結合片１１、２１から離脱させたとしても、絶縁カバーが架空配電線から脱落したり、位置ズレすることはない。
【００２４】
一方、他方の結合片１３、２３は、図４（ｃ）の段階で互いに内面を近接させた状態となっているため、同じ絶縁ヤットコを移動させて両口金により２つの結合片１３、２３を挟圧すれば、係止突起２３ａが係止穴１３ａ内に圧入して結合片同志の結合が完了する。
このように本実施形態に係る絶縁カバー１は、少なくとも一つの結合片に設けた仮固定部４０を備えており、この仮固定部を利用して絶縁ヤットコの一つの口金の先端に対して絶縁カバーを取り付けることができる。この際、固定側口金の凹所８３ａ内に突起４２が嵌合するため、仮固定部４０に対する固定側口金の仮固定強度を高めることができ、多少のショックが加わったとしても、仮固定部が固定側口金から脱落したり、位置ズレすることはない。
【００２５】
このように絶縁ヤットコの一つの口金に対して仮固定部４０を利用して開放状態にある絶縁カバーを取り付けることにより、この絶縁カバーを開放状態にある２つの口金８３、８５の内面に配置することができる。この状態で、作業員が絶縁ヤットコを利用して絶縁カバー（の開放部）を架空配電線の下方から接近させると、絶縁カバーの開放部内に架空配電線を位置させることができる。そして絶縁ヤットコを持ち替えることなく、そのままレバー８８を操作して可動側口金８５を閉じることにより、２つの結合片１１、２１を介して開閉部材１０、２０をヒンジ部３５を中心として閉じる方向へ回動させることができる。更に、レバー操作により２つの結合片１１、２１に対する挟圧力を強めることにより、係止突起２１ａを係止穴１１ａ内に圧着させて両結合片を結合させることができる。この時、架空配電線２５０は両開閉部材を間に挟んだ状態にある。
この状態では、結合した２つの結合片１１、２１により、２つの開閉部材１０、２０はほぼ閉じた状態にあり、絶縁カバーが架空配電線から位置ズレしたり、脱落する虞がない。また、他方の結合片１３、２３も充分に接近した状態にあるため、絶縁ヤットコの固定側口金８３を仮固定部から抜き去ることができ、同じ絶縁ヤットコを（持ち替えること無く）他方の結合片１３、２３に移動させて２つの口金の間で加圧することにより結合させることができる。
【００２６】
絶縁カバーを架空配電線の所要部に固定したあとは、２つの口金を開放して絶縁ヤットコを離脱させればよい。
なお、絶縁ヤットコにより各結合片を結合させる際に、可動側口金８５の先端部により結合片１１、１３の外面に対してより強い加圧力を加えやすくするために、可動側口金との接触部に図２（ｂ）中に符号１８で示した膨出部を設けても良い。
結合状態にある絶縁カバー１を架空配電線２５０から取り外す場合には、２つの操作片１５、２５が利用される。架空配電線に固定された絶縁カバーは２つの開閉部材１０、２０の開放部（操作片、結合片の位置）が上方を向いた状態にあるが、絶縁カバーを外す際には操作片１５、２５を利用して二つの開閉部材（結合状態にある２つの結合片）をこじ開ける必要があるため、操作片１５、２５等の適当な突起を絶縁ヤットコにより摘んで絶縁カバーを１８０度回転させてその上下を逆転させる必要がある。つまり、操作片１５、２５が下向きになるように回転させる。この状態で軸方向位置をずらしてある２つの操作片１５、２５を夫々絶縁ヤットコにより挟持して開閉部材を開放させる方向に力を加えることにより、結合状態にある各結合片を分離して開放部材を開放し、絶縁カバーを架空配電線から取り外すことができる。
【００２７】
＜第２の実施形態＞
次に、図５（ａ）（ｂ）及び（ｃ）は既存の架空配電線用絶縁カバーに対して後付けするタイプのアダプターの構成を示す外観斜視図、正面図、及び左側面図である。また、図６（ａ）（ｂ）及び（ｃ）は絶縁ヤットコを用いてアダプターを利用して架空配電線に対して絶縁カバーを取り付ける手順を説明する図である。
アダプター１００は、合成樹脂等の絶縁性材料から構成されており、絶縁カバー１の結合片の一つ、本例では結合片２１に対して装着される基部１０１と、基部１０１からＪ字状、或いはＵ字状に湾曲して突出する係合片１２０と、から概略構成される。
基部１０１は絶縁ヤットコの一つの口金、本例では固定側口金８３の先端部を差し込む凹所（開口）１０４を下面に有した略箱形の仮固定部１０３と、仮固定部の前端縁上部に形成されて下向きに突出した係止爪１０５と、仮固定部１０３の左右の縦端縁を前方に突出させた張出し片１０８と、を概略備えている。２つの張出し片１０８の間に位置する仮固定部の前壁１１０の下端部には弾性係合片１２０の上端部が一体化されている。
【００２８】
仮固定部１０３の後壁１１２の前面には絶縁ヤットコの固定側口金８３に設けた凹所８３ａ内に嵌合して仮係止するための突起１１２ａが突設されている。また、仮固定部の前壁１１０の前面には絶縁カバーの結合片２１の背面に形成した凹所内に嵌合する突起１１０ａが突設される。
仮固定部１０３の凹所１０４の内部形状、サイズは、絶縁ヤットコの固定側口金８３の先端部を圧入した時にこれを充分な弾力により脱落しないように挟圧保持できるように構成する。係止爪１０５は、仮固定部の凹所１０４内に固定側口金８３を差し込んで保持した状態で、図６（ａ）に示すように２つの張出し片１０８によって形成される凹所内に絶縁カバーの結合片２１を装着したときに、係止爪が結合片２１の上縁部に引っ掛かることにより基部１０１を結合片２１に対して充分な強度で係止するように構成する。
【００２９】
図６（ｂ）のように結合片２１と結合片１１とが結合した時に両者の上端部間には楔状に隙間が形成されるため、この隙間を利用して係止爪１０５と結合片２１との係止状態を維持することができる。両張出し片１０８の間隔、各張出し片の突出長、形状は、両者の間に結合片２１を差し込んだ時に充分な挟圧力によって結合片の両側端縁を挟圧保持できる程度に設定する。
弾性係合片１２０は、弾性変形可能な板状体であり、外力が加わらない状態では図５（ａ）（ｃ）に示すように円弧状に湾曲した状態にある。そして、仮固定部の前壁１１０、係止爪１０５、両張出し片１０８によって結合片２１を保持した時に、弾性係合片１２０が一方の開閉部材２０の外周面からヒンジ部（開閉支持部）３５の外面にかけて圧接するように構成する。これにより固定側口金８３によって仮固定されたアダプター１００に対して、基部１０１との協働により開放状態にある絶縁カバー（の開閉部材２０）を確実に係止し、且つ保持することが可能となる。
この状態で絶縁ヤットコの可動側口金８５を閉じることにより、図６（ｂ）のように架空配電線２５０を間に挟んだ状態で両開閉部材１０、２０を閉止し、且つ各結合片１１、１３に対して各結合片２１、２３を結合状態とすることができる。
【００３０】
絶縁ヤットコの両口金を閉じることによって両開閉部材を架空配電線に対して閉じた状態で各結合片を固着したあとは、図６（ｃ）に示すように、絶縁ヤットコの両口金を開放し、更に主として開閉部材２０の外面に係止されていたアダプター１００を固定側口金８３と共に、絶縁カバーから離脱させればよい。アダプター１００は係止片１０５の係止力によって結合片２１に対して係止されているに過ぎないため、結合片から容易に離脱させることができる。つまり、弾性係合片１２０の弾性力により結合片２１に対して係止爪１０５を引っ掛けている。従って、アダプター１００を結合片２１から離脱させるには、弾性係合片１２０の弾性力を活かして絶縁ヤットコの口金先端により係止爪１０５を結合片２１から押し外せばよい。この際、係止爪１０５を弾性を有した構成としたり、係止爪１０５の先端を尖らせることにより、離脱が容易となる。
【００３１】
また、固定側口金８３も仮固定部１０３の凹所１０４から容易に離脱させることができる。
このようにアダプター１００は、配電線用絶縁カバーの結合片の一つに対して着脱されるものであり、一つの結合片に対して装着（後付け）される基部１０１と、基部から湾曲して突出する弾性係合片１２０と、を備えている。絶縁ヤットコの一つの口金（例えば、固定側口金８３）に対して基部１０１を仮固定すると共に、弾性変形可能な弾性係合片１２０を絶縁カバーの一部、本例では一方の開閉部材２０の外面に接触させることにより、絶縁カバーに対してアダプターを係止させることができる。
このように絶縁ヤットコの一つの口金に対してアダプターを利用して開放状態にある絶縁カバーを取り付けることにより、この絶縁カバーを開放状態にある２つの口金８３、８５の内面に配置することができる。この状態で、作業員が絶縁ヤットコを利用して絶縁カバー（の開放部）を架空配電線の下方から接近させると、絶縁カバーの開放部内に架空配電線を位置させることができる。そして絶縁ヤットコを持ち替えることなく、そのままレバーを操作して可動側口金を閉じることにより、２つの結合片１１、２１を介して開閉部材１０、２０をヒンジ部３５を中心として閉じる方向へ回動させることができる。更に、レバー操作により２つの結合片１１、２１に対する挟圧力を強めることにより、係止突起２１ａを係止穴１１ａ内に圧着させて両結合片を結合させることができる。この時、架空配電線２５０は両開閉部材を間に挟んだ状態にある。
【００３２】
この状態では、結合した２つの結合片１１、２１により、２つの開閉部材１０、２０はほぼ閉じた状態にあり、絶縁カバーが架空配電線から位置ズレしたり、脱落する虞がない。また、他方の結合片１３、２３も充分に接近した状態にあるため、絶縁ヤットコの固定側口金８３を仮固定部１０３の凹所１０４から抜き去ることができ、同じ絶縁ヤットコを他方の結合片１３、２３に移動させて２つの口金の間で加圧することにより結合させることができる。
このようにして絶縁カバーを架空配電線に固定した後は、アダプターと共に絶縁ヤットコを絶縁カバーから離脱させればよい。
取り外したアダプターは他の絶縁カバーを架空配電線に取り付ける際に再利用することが可能となる。
このアダプターによれば、既存（旧来）の絶縁カバーに対して着脱することができるので、絶縁カバーを新たに製造する必要がない。
【００３３】
また、このアダプターを既存の絶縁カバーの結合片に対して接着剤等により固着することにより、一体化しておいてもよい。この場合にはアダプターが結合片に固定されるため、着脱可能な場合と比べて使い回しができなくなるが、結合片に対する固定が確実になるので、作業中に絶縁ヤットコの口金が外れる虞も無くなる。
また、アダプターと結合片と接触面を接着力を調整した両面テープ等によって着脱可能に仮固定しておけば、アダプターの固定がより確実になるばかりで無く、取り外して使い回しも可能となる。
【００３４】
＜本発明の構成、作用、効果のまとめ＞
本発明に係る配電線用絶縁カバー１は、絶縁被覆電線２５０の絶縁被覆２５１を部分的に剥離することにより露出した導体部分２５２を覆った状態で該絶縁被覆電線に対して固定され、ヒンジ部（開閉支持部）３５によって開閉自在に連結された２つの開閉部材１０、２０と、各開閉部材に夫々少なくとも一対ずつ設けられ、各開閉部材が閉止状態にある時に互いに結合することにより該各開閉部材を閉止状態に維持する結合片１１、１３、２１、２３と、少なくとも一つの結合片に設けられて、結合片を挟圧して結合させる結合工具の一部（口金）を受け容れて仮固定する仮固定部４０と、を備えたことを特徴とする。
仮固定部４０の構造は図示したものに限定される訳では無く、絶縁ヤットコの一方の口金に対して仮係止することができるものであれば、どのような構造であってもよい。ここで仮係止とは、仮固定部に絶縁ヤットコの口金を差し込んだ時に、絶縁ヤットコによって絶縁カバーを充分にバランスをとりながら保持し続けることができる程度の強度での係止力を意味する。従って、作業員が絶縁ヤットコを架空配電線の所要箇所に向けて持ち上げた時に、口金に仮係止された絶縁カバーは操作棒と略L字状に直交（交差）する姿勢を維持しながら、その開放部内に架空配電線の所要箇所を受け容れることができる。
仮固定部４０に開放状態にある絶縁ヤットコの口金を仮係止した状態では、絶縁カバーは開放状態にある２つの口金の内面に位置している。このため、２つの開閉部材１０、２０の内側に架空配電線の所要箇所を受け容れた状態で絶縁ヤットコを操作して２つの口金を閉じると、２つの口金の先端部が対面（接触）している２つの結合片（１１と２１、１３と２３）が圧着されて結合状態となる。
【００３５】
一対の結合片を結合させることにより、２つの開閉部材１０、２０は架空配電線の所要箇所に対して仮係止された状態となっており、他の一対の結合片も接近した状態にある。このため、絶縁ヤットコを最初に結合させた結合片対から離脱させても絶縁カバーが架空配電線から位置ズレしたり離脱することはなく、同じ絶縁ヤットコを用いて他方の結合片対を結合させることにより、絶縁カバーの取り付けを完了することができる。
この作業は一人の作業員により充分に実施可能である。
【００３６】
次に、本発明に係るアダプター１００は、絶縁被覆電線の絶縁被覆を部分的に剥離することにより露出した導体部分を覆った状態で該絶縁被覆電線に対して固定され、ヒンジ部（開閉支持部）によって開閉自在に連結された２つの開閉部材と、各開閉部材に夫々少なくとも一対ずつ設けられ、各開閉部材が閉止状態にある時に互いに結合することにより該各開閉部材を閉止状態に維持する結合片と、を有した配電線用絶縁カバー１の結合片に対して後付けされるものであり、一つの結合片に対して装着される基部１０１と、該基部から湾曲して突出する係合片１２０と、を備えたことを特徴とする。
このアダプターは既存の絶縁カバーに加工を加えること無く、その結合片の一つに対して後付けすることができる。このアダプターに対して絶縁ヤットコの一つの口金を仮固定することにより、アダプターを介して口金と絶縁カバーの結合片とを仮固定することができる。
この絶縁カバーを架空配電線に対して固定する手順は、配電線用絶縁カバー１の場合と同様である。
【００３７】
このアダプターによれば、既存の絶縁カバーに適用できるので、絶縁カバーを新たに製造する必要がなく、コスト的にも有利である。
このアダプターは、着脱自在としてもよいし、接着力を適度に調整した両面テープにより結合片に対して接着することにより結合片に対する取付け強度を高めると共に、絶縁カバーを架空配電線に取り付けた後にアダプターを取り外すことにより再利用が可能となる。
また、アダプターを既存の絶縁カバーの結合片に対して接着等によって固定することにより、配電線用絶縁カバー１とほぼ同等の構造を実現するようにしてもよい。
【符号の説明】
【００３８】
１…配電線用絶縁カバー（絶縁カバー）、１０、２０…開閉部材、１１、１３、２１、２３…結合片、１１ａ…係止穴、１３ａ…係止穴、２１ａ、２３ａ…係止突起、１５、２５…操作片、３５…ヒンジ部（開閉支持部）、４０…仮固定部、４２…突起、８０…絶縁ヤットコ、８１…主操作棒、８１ａ…軸部、８３…固定側口金、８３ａ…凹所、８５…可動側口金、８７…副操作棒、８８…レバー、１００…アダプター、１０１…基部、１０３…仮固定部、１０４…凹所、１０５…係止爪、１０８…張出し片、１１０…前壁、１１０ａ…突起、１１２…後壁、１１２ａ…突起、１２０…弾性係合片、２５０…架空配電線（絶縁被覆電線）、２５１…絶縁被覆、２５２…導体部分、空間…Ｓ。
【図１】
0005946892.tif 000002
【図２】
0005946892.tif 000003
【図３】
0005946892.tif 000004
【図４】
0005946892.tif 000005
【図５】
0005946892.tif 000006
【図６】
0005946892.tif 000007
【図７】
0005946892.tif 000008
【図８】
0005946892.tif 000009
【図９】
0005946892.tif 000010